(57)【要約】      （修正有）【課題】車載機器と携帯端末との通信手段に、アンテナの配置を工夫することにより、近距離型非接触通信が用いられることに起因する問題を回避することが可能なデータ処理装置を提供する。【解決手段】所定の閉空間に設けられ、携帯端末と近距離型非接触通信を利用してデータを無線通信し、データ処理を行うデータ処理装置１であって、前記データ処理装置１の本体となる筐体２と、前記筐体２の中に設けられ、前記データ処理を行い、ユーザに対して供給されるべき情報を制御する制御部６と、電磁波を介して前記携帯端末とデータを送受信するアンテナ部４と、を備え、前記アンテナ部４は、電磁波が前記筐体２に対して所定の非干渉状態となるように設置される。【選択図】図２
2010148041.tif 000002
【特許請求の範囲】
【請求項１】
所定の閉空間に設けられ、携帯端末と近距離型非接触通信を利用してデータを無線通信し、ユーザに対して供給されるべき情報を制御する制御部によってデータ処理を行うデータ処理装置であって、
前記データ処理装置の本体となる筐体と、
電磁波を介して前記携帯端末とデータを送受信するアンテナ部と、を備え、
前記アンテナ部は、電磁波が前記筐体に対して所定の非干渉状態となるように、電磁波が通過する通過領域を有する、データ処理装置。
【請求項２】
前記筐体の外部に設けられ、前記制御部によって制御された画像データを表示する画像表示部を更に備え、
前記アンテナ部は、前記画像表示部に設けられる、
請求項１に記載のデータ処理装置。
【請求項３】
前記画像表示部は、前記アンテナ部が前記携帯端末とデータを送受信する際に、ユーザへの表示状態から、ユーザに向かう方向に傾斜する傾斜状態に至るように構成され、
前記アンテナ部は、前記画像表示部が表示状態において画像をユーザへ表示する面と反対の面に設けられる、
請求項２に記載のデータ処理装置。
【請求項４】
前記筐体は、電磁波が該筐体に対して所定の非干渉状態を形成する開口部を有し、
前記アンテナ部は、前記開口部を囲むように設けられ、
前記開口部は、前記通過領域となる、
請求項１に記載のデータ処理装置。
【請求項５】
前記開口部は、前記制御部によって制御される磁気ディスクを該筐体内に挿入する挿入部であって、
前記アンテナ部は、前記挿入部を囲むように設けられ、
前記挿入部は、前記通過領域となる、
請求項４に記載のデータ処理装置。
【請求項６】
前記制御部によって制御された画像データを表示する画像表示部と、
前記筐体から前記画像表示部に向かってスライドするスライド部と、
前記スライド部がスライドすると、前記画像表示部がユーザへの表示状態から、ユーザに向かう方向に傾斜する傾斜状態に至るように、該画像表示部に一自由度の移動を行わせる移動部と、を備え、
前記アンテナ部は、前記スライド部に設けられる、
請求項１に記載のデータ処理装置。
【請求項７】
前記スライド部は、電磁波が該スライド部に対して所定の非干渉状態を形成する孔が設けられ、
前記アンテナ部は、前記孔を囲むように設けられ、
前記孔は、前記通過領域となる、
請求項６に記載のデータ処理装置。
【請求項８】
前記制御部によって制御された画像データを表示する画像表示部を更に備え、
前記制御部は、前記アンテナ部が前記携帯端末と前記データを送受信する際に、前記画像表示部に表示されている画像の表示を停止する画像表示停止部を有する、
請求項１に記載のデータ処理装置。
【請求項９】
前記制御部によって制御された画像データを、バックライトを点灯することにより表示する画像表示部を更に備え、
前記制御部は、前記アンテナ部が前記携帯端末と前記データを送受信する際に、前記バックライトの機能を停止させるバックライト機能停止部を有する、
請求項１に記載のデータ処理装置。
【請求項１０】
前記制御部によって制御された音声データを出力する音声出力部を更に備え、
前記制御部は、前記アンテナ部が前記携帯端末と前記データを送受信する際に、前記音声出力部が出力する音声を停止する音声停止部を有する、
請求項１から９の何れか一項に記載のデータ処理装置。
【発明の詳細な説明】
【技術分野】
【０００１】
本発明は、携帯端末もしくはＩＣカードと近距離型非接触通信を利用してデータを無線通信し、データ処理を行うデータ処理装置に関する。
【背景技術】
【０００２】
従来から、ナビゲーション等に代表される車載機器と、携帯電話等に代表される携帯端末との通信手段には、ＩｒＤＡ方式、Ｂｌｕｅｔｏｏｔｈ（登録商標）方式、シリアル通信等が用いられている。車載機器と携帯端末による楽曲購入等の展開が考えられることから、車載機器と携帯端末との通信手段には、高速通信及び高いセキュリティーを確保する必用がある。近年、高速通信及び高いセキュリティーを確保することが可能な、Ｆｅｌｉｃａ（登録商標）等のＮＦＣ近距離型非接触通信機能（以下、近距離型非接触通信機能と略称する）が開発されており（特許文献１を参照）、今後、車載機器と携帯端末との通信手段に近距離型非接触通信が用いられることが考えられる。
【特許文献１】特開２００５−４５５５７号公報
【発明の開示】
【発明が解決しようとする課題】
【０００３】
車の走行による振動等から車載機器を保護するため、車載機器の筐体は金属で形成されている。従って、車載機器が携帯端末と近距離型非接触通信を利用してデータを無線通信する際、電磁波を介してデータの送受信を行うため、金属遮蔽により電磁波が減衰してしまうことが懸念される。また、車載機器の一例であるカーナビゲーションシステムの場合は、画像や映像等を表示するディスプレイ以外はインパネに組み込まれている。従って、車載機器が携帯端末と近距離型非接触通信を利用してデータを良好に無線通信するためには、データを送受信するアンテナの配置が車載機器の構造上及びデザイン上困難である。更に、車載機器が携帯端末と近距離型非接触通信を利用してデータを無線通信するということは、個人情報であるデータの送受信を行うことである。従って、近距離型非接触通信において、データを送受信するアンテナが、外部から分かりやすい位置に設置されると、個人情報をやりとりする装置であることが他人に容易に分かってしまい、セキュリティー上大きな問題となる。
【０００４】
そこで、本発明では、上記した問題に鑑み、車載機器と携帯端末との通信手段に、アンテナの配置場所を工夫することにより、近距離型非接触通信が用いられることに起因する問題を回避することが可能なデータ処理装置を提供することを目的とする。
【課題を解決するための手段】
【０００５】
本発明は、上述した課題を解決するために、携帯端末との近距離型非接触通信において、筐体に対して電磁波が非干渉状態となるようにアンテナ部を配置する点を工夫した。
【０００６】
詳細には、本発明のデータ処理装置は、所定の閉空間に設けられ、携帯端末と近距離型非接触通信を利用してデータを無線通信し、ユーザに対して供給されるべき情報を制御する制御部によってデータ処理を行うデータ処理装置であって、前記データ処理装置の本体となる筐体と、電磁波を介して前記携帯端末とデータを送受信するアンテナ部と、を備え、前記アンテナ部は、電磁波が前記筐体に対して所定の非干渉状態となるように、電磁波が通過する通過領域を有する。
【０００７】
本発明のデータ処理装置は、インパネ等の所定の閉空間に設けられ、携帯端末と近距離型非接触通信を利用してデータを無線通信し、ユーザに対して供給されるべき情報を制御
する制御部によってデータ処理を行うことが可能である。従って、本発明のデータ処理装置は、近距離型非接触通信を用いることにより、高速通信及び高いセキュリティーを確保することが可能である。尚、ユーザに対して供給されるべき情報とは、例えば、走行中の自動車の現在位置や進行方向、映画や音楽情報である。筐体は、データ処理装置の本体である。アンテナ部は、電磁波を介して携帯端末とデータを送受信する。また、アンテナ部は、該電磁波が筐体に対して所定の非干渉状態となるように、電磁波が通過する通過領域を有する。その結果、本発明のデータ処理装置は、電磁波の減衰を回避するため、アンテナ部が電磁波を介してデータを確実に送受信することが可能である。従って、本発明のデータ処理装置は、携帯端末と近距離通信型非接触通信を確実に行うことが可能である。
【０００８】
ここで本発明のデータ処理装置において、前記筐体の外部に設けられ、前記制御部によって制御された画像データを表示する画像表示部を更に備え、前記アンテナ部は、前記画像表示部に設けられてもよい。本発明のデータ処理装置は、アンテナ部が筐体の外部である画像表示部に設けられることにより、電磁波の減衰を回避するため、携帯端末と近距離通信型非接触通信を確実に行うことが可能である。
【０００９】
更に、前記画像表示部は、前記アンテナ部が前記携帯端末とデータを送受信する際に、ユーザへの表示状態から、ユーザに向かう方向に傾斜する傾斜状態に至るように構成され、前記アンテナ部は、前記画像表示部が表示状態において画像をユーザへ表示する面と反対の面に設けられてもよい。
【００１０】
本発明のデータ処理装置は、アンテナ部が携帯端末とデータを送受信しない際は、画像表示部はユーザへの表示状態を維持している。一方、アンテナ部が携帯端末とデータを送受信する際は、画像表示部は表示状態から傾斜状態に至る。その結果、画像表示部が画像をユーザへ表示する面に対して反対の面は、画像表示部が表示状態から傾斜状態に至らない限りは、外部から見ることができない。従って、本発明のデータ処理装置は、アンテナ部が、画像表示部が画像をユーザへ表示する面に対して反対の面に設けられることにより、個人情報をやりとりする装置であることが他人に分かり難く、セキュリティーを確保することが可能である。更に、本発明のデータ処理装置は、デザインが損なわれる事なく、且つ、筐体の構造に左右されることなく、アンテナ部を設けることが可能である。
【００１１】
ここで本発明のデータ処理装置において、前記筐体は、電磁波が該筐体に対して所定の非干渉状態を形成する開口部を有し、前記アンテナ部は、前記開口部を囲むように設けられ、前記開口部は、前記通過領域となってもよい。本発明のデータ処理装置は、アンテナ部が、電磁波が所定の非干渉状態となるように形成する開口部を囲むように設けられ、開口部が、電磁波が通過する通過領域となる。その結果、本発明のデータ処理装置は、電磁波の減衰を回避し、電磁波を介してデータを確実に送受信することによって、携帯端末と近距離通信型非接触通信を確実に行うことが可能である。
【００１２】
また、前記開口部は、前記制御部によって制御される磁気ディスクを該筐体内に挿入する挿入部であって、前記アンテナ部は、前記挿入部を囲むように設けられ、前記挿入部は、前記通過領域となってもよい。本発明のデータ処理装置は、アンテナ部が、磁気ディスクを筐体内に挿入する挿入部を囲むように設けられ、前記挿入部が、電磁波が通過する通過領域となる。その結果、本発明のデータ処理装置は、電磁波の減衰を回避し、電磁波を介してデータを確実に送受信することによって、携帯端末と近距離通信型非接触通信を確実に行うことが可能である。また、本発明のデータ処理装置は、アンテナ部が必用とするループ形状を容易に確保し、デザインが損なわれる事なく、且つ、筐体の構造に左右されることなく、アンテナ部を設けることが可能である。
【００１３】
ここで本発明のデータ処理装置は、前記制御部によって制御された画像データを表示す
る画像表示部と、前記筐体から前記画像表示部に向かってスライドするスライド部と、前記スライド部がスライドすると、前記画像表示部がユーザへの表示状態から、ユーザに向かう方向に傾斜する傾斜状態に至るように、該画像表示部に一自由度の移動を行わせる移動部と、を備え、前記アンテナ部は、前記スライド部に設けられてもよい。
【００１４】
移動部は、スライド部が筐体から画像表示部に向かってスライドすると、画像表示部がユーザへの表示状態から、ユーザに向かう方向に傾斜する傾斜状態に至るように、画像表示部に一自由度の移動を行わせる。従って、本発明のデータ処理装置は、画像表示部が、ユーザへの表示状態から、ユーザに向かう方向に安定して傾斜する傾斜状態に至ることが可能である。また、本発明のデータ処理装置は、スライド部が筐体から画像表示部に向かってスライドしない限りは、該スライド部に設けられたアンテナ部を筐体の外部から見ることができない。従って、本発明のデータ処理装置は、個人情報をやりとりする装置であることが他人に分かり難く、セキュリティーを確保することが可能である。更に、本発明のデータ処理装置は、デザインが損なわれる事なく、且つ筐体の構造に左右されることなく、アンテナ部を配置することが可能である。
【００１５】
また、前記スライド部は、電磁波が該スライド部に対して所定の非干渉状態を形成する孔が設けられ、前記アンテナ部は、前記孔を囲むように設けられる、前記孔は、前記通過領域となってもよい。本発明のデータ処理装置は、アンテナ部が、電磁波がスライド部に対して所定の非干渉状態となるように形成する孔を囲むように設けられ、前記孔が、電磁波が通過する通過領域となる。その結果、本発明のデータ処理装置は、電磁波の減衰を回避し、電磁波を介してデータを確実に送受信することによって、携帯端末と近距離通信型非接触通信を確実に行うことが可能である。
【００１６】
また、本発明のデータ処理装置は、前記制御部によって制御された画像データを表示する画像表示部を更に備え、前記制御部は、前記アンテナ部が前記携帯端末と前記データを送受信する際に、前記画像表示部に表示されている画像の表示を停止する画像表示停止部を有してもよい。アンテナ部が携帯端末と電磁波を介してデータを送受信する際、画像表示部に表示される画像に、該電磁波によりノイズが発生し、ユーザにとって見づらい場合がある。そこで、本発明のデータ処理装置は、画像表示停止部が、画像表示部に表示されている画像の表示を停止することにより、ノイズが発生した画像をユーザに見せなくすることが可能である。
【００１７】
更に、本発明のデータ処理装置は、前記制御部によって制御された画像データを、バックライトを点灯することにより表示する画像表示部を更に備え、前記制御部は、前記アンテナ部が前記携帯端末と前記データを送受信する際に、前記バックライトの機能を停止させるバックライト機能停止部を有してもよい。本発明のデータ処理装置は、バックライト機能停止部が、バックライトの機能を停止させることにより、電磁波によりノイズが発生した画像をユーザに見せなくすることが可能である。
【００１８】
また、本発明のデータ処理装置は、前記制御部によって制御された音声データを出力する音声出力部を更に備え、前記制御部は、前記アンテナ部が前記携帯端末と前記データを送受信する際に、前記音声出力部が出力する音声を停止する音声停止部を有してもよい。アンテナ部が携帯端末と電磁波を介してデータを送受信する際、音声出力部から出力する音声にノイズが発生し、ユーザにとって聞きづらい場合がある。そこで、本発明のデータ処理装置は、音声停止部が、音声出力部が出力する音声を停止することにより、ノイズが発生した音声をユーザに聞こえなくすることが可能である。
【発明の効果】
【００１９】
本発明によれば、車載機器と携帯端末との通信手段に、アンテナの配置場所を工夫する
ことにより、近距離型非接触通信が用いられることに起因する問題を回避することが可能なデータ処理装置を提供することが可能である。
【発明を実施するための最良の形態】
【００２０】
ここで、本発明に係るデータ処理装置の実施の形態について図面に基づいて説明する。以下に示す実施例は例示であり、本発明はこれらに限定されるものではない。
【実施例１】
【００２１】
図１は、本発明の実施例１のデータ処理装置１における画像表示本体部３が表示状態であり、携帯電話１００と近距離型非接触通信をする前の断面概略図である。図２は、本発明の実施例１のデータ処理装置１における画像表示本体部３が傾斜状態であり、携帯電話１００と近距離型非接触通信をする様子を示す断面概略図である。図３は、本発明の実施例１のデータ処理装置１における画像表示本体部３の傾斜状態を示す正面図である。以下、具体的に本発明の実施例１のデータ処理装置１の各構成について図１から図３を基に説明する。尚、本発明の実施例１のデータ処理装置１は、車載機器の一部として設けられ、例えばカーナビゲーションシステムである。また、本発明の実施例１のデータ処理装置１と近距離型非接触通信を行う携帯電話１００は、アンテナ部１１１とＩＣ１１２を備える。
【００２２】
＜データ処理装置１の構成＞
データ処理装置１の主要構成は、筐体２、画像表示本体部３、アンテナ部４、ファームウェア５、制御部６、音声出力部７である。
【００２３】
先ず、筐体２について説明する。筐体２は、データ処理装置１の本体であり、金属によって形成されている。筐体２は、該筐体２の中に設けられる制御部６等を振動等の外部影響から保護することが可能である。また、筐体２は、画像表示本体部３と対向する面２５、上面２６及び下面２７に、開口部２１を有する。開口部２１は、筐体２に設けられた略長方形の貫通孔である。尚、開口部２１は、アンテナ部４が携帯電話１００側のアンテナ部１１１とデータを送受信する際に、電磁波の減衰を回避する形状であればよい。また、画像表示本体部３と対向する面に設けられた開口部２１は、制御部６によって制御される磁気ディスク８を筐体２内に挿入する挿入部２３でもよい（図３参照）。
【００２４】
画像表示本体部３について説明する。画像表示本体部３は、該画像表示本体部３の表面３２に、制御部６によって制御された画像データを表示する画像表示部３３をユーザと対向する面に有する（図１参照）。一方、画像表示本体部３の裏面３１は、筐体２が挿入部２３を有する面２５と対向している。画像表示部３３は、例えば、走行中の自動車の現在位置や進行方向、映画や音楽情報等の画像を表示することが可能である。
【００２５】
データ処理装置１側のアンテナ部４が携帯電話１００側のアンテナ部１１１とデータを送受信する前は、画像表示部３３が表示状態を形成する（図１参照）。一方、データ処理装置１側のアンテナ部４が携帯電話１００側のアンテナ部１１１とデータを送受信する際は、画像表示部３３が表示状態から、ユーザに向かう方向に傾斜する傾斜状態に至るように構成される（図２参照）。その結果、画像表示本体部３の裏面３１と、該裏面３１と対向する筐体２の面２５は、画像表示部３３が表示状態から傾斜状態に至らない限りは、外部から見られることはない。
【００２６】
アンテナ部４について説明する。アンテナ部４は、携帯電話１００側のアンテナ部１１１と電磁波を介してデータを送受信する際は、Ｆｅｌｉｃａ（登録商標）等の非接触型通信に用いられる１３．５６ＭＨｚの周波数帯を利用する。また、アンテナ部４は、筐体２に設けられた挿入部２３を囲むように設けられる（図３参照）。その結果、画像表示部３
３が表示状態から傾斜状態に至らない限りは、アンテナ部４が外部から見られることがないため、個人情報をやりとりする装置であることが他人に分かり難く、セキュリティーを確保することが可能である。また、アンテナ部４が電磁波を介して携帯電話１００側のアンテナ部１１１とデータを送受信する際は、開口部２１である挿入部２３と、筐体２の上下面に設けられた開口部２１が、電磁波が通過する通過領域となる。その結果、電磁波が筐体２に対して所定の非干渉状態となり、電磁波の減衰を回避し、アンテナ部４は電磁波を介してデータを確実に送受信することが可能である。従って、本発明の実施例１のデータ処理装置１は、携帯電話１００と近距離通信型非接触通信を確実に行うことが可能である。尚、アンテナ部４は、挿入部２３を囲むように設けることにより、アンテナ部４が必用とするループ形状を容易に確保することが可能である。また、アンテナ部４は、挿入部２３だけではなく、画像表示本体部３と対向する面２５に設けられた、挿入部２３以外の開口部２１を囲むように設け、該開口部２１が、電磁波が通過する通過領域となってもよい（不図示）。
【００２７】
更に、アンテナ部４は、筐体２側に設けられるだけではなく、画像表示本体部３の裏面に設けてもよい。図４は、本発明の実施例１のデータ処理装置１におけるアンテナ部４が画像表示本体部３の裏面３１に設けられ、携帯電話１００と近距離型非接触通信をする様子を示す断面概略図である。アンテナ部４が画像表示本体部３の裏面３１に設けられた場合は、アンテナ部４が挿入部２３に設けられた場合と同様に、画像表示部３３が表示状態から傾斜状態に至らない限りは、アンテナ部４が外部から見られることがないため、個人情報をやりとりする装置であることが他人に分かり難く、セキュリティーを確保することが可能である。また、画像表示本体部３の裏面３１に設けられたアンテナ部４は、開口部２１を有しなくても、電磁波の減衰を回避し、携帯電話１００と電磁波を介してデータの送受信を確実に行うことができる。更に、本発明の実施例１のデータ処理装置１は、ディスプレイ等のデザインが損なわれる事なく、且つ、筐体２の構造に左右されることなく、アンテナ部４を設けることが可能である。
【００２８】
ファームウェア５、及び音声出力部７について説明する。ファームウェア５は、筐体２の内部に設けられ（図１及び図２参照）、アンテナ部４が携帯電話１００側のアンテナ部１１１と電磁波を介して送受信するデータを読み取ることが可能である。音声出力部７は、走行中の自動車の現在位置や進行方向、映画や音楽情報等の音声をスピーカ９から出力することが可能である。音声出力部７は、例えば、予め車載に取り付けられているオーディオ機器である。
【００２９】
制御部６について説明する。制御部６は、ＣＰＵ、メモリ等を含むコンピュータと、コンピュータ上で実行されるプログラムによって実現することができる。図５は、本発明の実施例１のデータ処理装置１における制御部６の機能ブロック図である。制御部６は、アンテナ部４で送受信したデータを処理し、ユーザに対して供給されるべき情報を制御する。ユーザに対して供給されるべき情報とは、例えば、走行中の自動車の現在位置や進行方向、映画や音楽情報である。制御部６は、バックライト機能停止部６１、画像表示停止部６２、及び音声停止部６３を有する。更に、制御部６は、画像表示部傾斜確認部６８、ＶＤＰ（Ｖｉｄｅｏ  Ｄｉｓｐｌａｙ  Ｐｒｏｃｅｓｓｏｒ）７１、７５Ωドライバ７０、スイッチ６９、媒体検出部６５、相互認証部６６、データ読み書き部６７を有する。以下、制御部６の各構成について説明する。
【００３０】
バックライト機能停止部６１は、バックライト（不図示）の機能を停止させることが可能である。バックライトの機能の停止方法は、パルス波のデューティー比を変化させて変調するＰＷＭ制御（不図示）によりクロックを制御して行う。画像表示停止部６２は、画像表示部３３が表示する画像を、スイッチ６９を切ることにより停止させることが可能である。従って、バックライト機能停止部６１と画像表示停止部６２は、電磁波によってノ
イズが発生した画像をユーザに見せなくすることが可能である。尚、本発明の実施例１のデータ処理装置１において、バックライト機能停止部６１と画像表示停止部６２はどちらか一方を有していればよい。音声停止部６３は、スイッチ６９を切ることにより、音声出力部７から出力する音声を停止することが可能である。
【００３１】
画像表示部傾斜確認部６８は、画像表示部３３が傾斜状態に至ったことを確認する。本発明の実施例１のデータ処理装置１は、画像表示部傾斜確認部６８が、画像表示部３３が傾斜状態に至ったことを確認すると、ファームウェア５がアンテナ部４からのデータを読み取るモードに移行する。ＶＤＰ７１は、映像・音楽ソース１４を受け取り、映像出力全般の命令を解読・実行する装置である。尚、ＶＤＰ７１は、ＤＰＳ（Ｄｉｓｐｌａｙ  Ｐｏｓｔ  Ｓｃｒｉｐｔ）でもよい。７５Ωドライバ７０は、ＶＤＰ７１で解読・実行した映像・音楽ソース１４を、民生用の映像信号系の一般的な出力インピーダンスである７５Ωになるように、インピーダンス整合を図る。尚、７５Ωドライバ７０は、バッファアンプでもよい。スイッチ６９は、画像表示停止部６２や音声停止部６３からの指示により、情報の出力を停止する。
【００３２】
媒体検出部６５は、携帯電話１００側のアンテナ部１１１を検出する。相互認証部６６は、携帯電話１００側のＩＣ１１２と相互認証する。データ読み書き部６７は、アンテナ部４が携帯電話１００側のアンテナ部１１１と送受信したデータを読み書きする。
【００３３】
図６は、実施例１のデータ処理装置１における制御フロー図である。図５に示す機能ブロック図を参照しながら、以下具体的にデータ処理装置１について説明する。尚、図６の制御フロー図は、制御部６が、バックライト機能停止部６１を有さずに、画像表示停止部６２を有する場合を一例とするが、この場合に限定されない。
【００３４】
ステップＳ０１では、画像表示部傾斜確認部６８が、画像表示部３３が傾斜状態に至ったたかどうかを判断する。画像表示部３３が傾斜状態に至った際は、ファームウェア５がアンテナ部４からのデータを読み取るモードに移行する。画像表示部３３が傾斜状態に至ったかどうかの判断が完了するとステップＳ０２へ進む。
【００３５】
ステップＳ０２では、画像表示停止部６２が、画像表示部３３が表示する画像を停止する。画像表示停止部６２は、ＶＤＰ７１が映像・音楽ソース１４を受け取り、映像出力全般の命令を解読・実行し、７５Ωドライバ７０がインピーダンスの整合を図り、画像表示部３３が出力していた情報の流れを、スイッチ６９を切ることにより停止する。その結果、画像表示停止部６２は、電磁波によってノイズが発生した画像をユーザに見せなくすることが可能である。画像表示停止部６２による画像表示停止が完了するとステップＳ０３へ進む。
【００３６】
ステップＳ０３では、音声停止部６３が、音声出力部７が出力する音声を停止する。音声停止部６３は、ＶＤＰ７１が映像・音楽ソース１４を受け取り、音声出力全般の命令を解読・実行し、７５Ωドライバ７０がインピーダンスの整合を図り、音声出力部７が出力していた情報の流れを、スイッチ６９を切ることによって停止する。その結果、音声停止部６３は、電磁波によってノイズが発生した音声をユーザに聞かせなくすることが可能である。音声停止部６３による音声の停止が完了するとステップＳ０４へ進む。
【００３７】
ステップＳ０４では、媒体検出部６５によって媒体を検出する。媒体検出部６５は、近距離型非接触通信をする携帯電話１００側のアンテナ１１１を検出する。媒体検出部６５による媒体の検出が完了するとステップＳ０５へ進む。
【００３８】
ステップＳ０５では、相互認証部６６によって、携帯電話１００側のＩＣ１１２と相互
認証する。相互認証部６６による相互認証が完了するとステップＳ０６へ進む。
【００３９】
ステップＳ０６では、データ読み書き部６７によって、アンテナ部４が携帯電話１００側のアンテナ部１１１と送受信したデータを読み書きする。
【００４０】
以上、本発明の実施例１におけるデータ処理装置１について説明したが、アンテナ部４は、筐体２や画像表示部３３以外に設けられてもよい。以下に、その他のアンテナ部４の配置について説明する。
【実施例２】
【００４１】
図７は、本発明の実施例２のデータ処理装置１における画像表示本体部３が表示状態であり、携帯電話１００と近距離型非接触通信をする前の断面概略図である。図８は、本発明の実施例２のデータ処理装置１における画像表示本体部３が傾斜状態であり、携帯電話１００と近距離型非接触通信をする様子を示す断面概略図である。図９は、本発明の実施例２のデータ処理装置１におけるスライド部１１がスライドした際の上面図である。本発明の実施例２のデータ処理装置１は、スライド部１１と移動部とを備える。スライド部１１は、モータ（不図示）によって筐体２から画像表示部３３に向かってスライドする構造である。また、スライド部１１は、略長方形を形成し、略長方形の辺と辺の間に補助スライド部１２が２本設けられ、井桁構造を形成する（図９を参照）。移動部は、スライド部１１がスライドすると、画像表示本体部３がユーザへの表示状態（図７を参照）から、ユーザに向かう方向に傾斜する傾斜状態（図８を参照）に至るように、画像表示本体部３に一自由度の移動を行わせる。具体的に説明すると、移動部は、画像表示本体部３の裏面の上方に設けられたローラー１３が、画像表示本体部３の裏面３１と対向する筐体２の面２５に設けられた鉛直方向のレール上（不図示）を移動することにより、画像表示本体部３に一自由度の移動を行わせることが可能である。従って、画像表示本体部３は、スライド部１１と移動部によってユーザへの表示状態から、ユーザに向かう方向に安定して傾斜する傾斜状態に至ることが可能である。
【００４２】
アンテナ部４は、スライド部１１の井桁構造の中央の孔１５を囲むように設けられ、該孔１５が、電磁波が通過する通過領域となる（図９参照）。その結果、本発明の実施例２のデータ処理装置は、アンテナ部４が電磁波を介して携帯電話１００側のアンテナ部１１１とデータを送受信する際に、スライド部１１による電磁波の減衰を回避することが可能である。また、スライド部１１が筐体２から画像表示本体部３に向かってスライドすることにより、画像表示本体部３が表示状態から傾斜状態に至らない限りは、スライド部１１を外部から見ることができない。従って、アンテナ部４はスライド部１１を囲むように設けられることにより、個人情報をやりとりする装置であることが他人に分かり難く、セキュリティーを確保することが可能である。また、本発明の実施例２のデータ処理装置１のデザインが損なわれる事なく、且つ、筐体２の構造に左右されることなく、アンテナ部４を設けることが可能である。
【図面の簡単な説明】
【００４３】
【図１】本発明の実施例１のデータ処理装置における画像表示本体部が表示状態であり、携帯電話と近距離型非接触通信をする前の断面概略図である。
【図２】本発明の実施例１のデータ処理装置における画像表示本体部が傾斜状態であり、携帯電話と近距離型非接触通信をする様子を示す断面概略図である。
【図３】本発明の実施例１のデータ処理装置におけるアンテナ部が、挿入部を囲むように設けられた正面概略図である。
【図４】本発明の実施例１のデータ処理装置におけるアンテナ部が、画像表示部が表示状態において画像をユーザへ表示する面と反対の面の縁に設けられた断面概略図である。
【図５】本発明の実施例１のデータ処理装置における制御ブロック図である。
【図６】本発明の実施例１のデータ処理装置における制御フロー図である。
【図７】本発明の実施例２のデータ処理装置における画像表示本体部が表示状態であり、携帯電話と近距離型非接触通信をする前の断面概略図である。
【図８】本発明の実施例２のデータ処理装置における画像表示本体部が傾斜状態であり、携帯電話と近距離型非接触通信をする様子を示す断面概略図である。
【図９】本発明の実施例２のデータ処理装置におけるスライド部がスライドした際の上面図である。
【符号の説明】
【００４４】
１・・・データ処理装置
１００・・・携帯電話
１１１・・・アンテナ部
１１２・・・ＩＣ
２・・・筐体
２１・・・開口部
２３・・・挿入部
３・・・画像表示本体部
３３・・・画像表示部
４・・・アンテナ部
５・・・ファームウェア
６・・・制御部
６１・・・バックライト機能停止部
６２・・・画像表示停止部
６３・・・音声停止部
６５・・・媒体検出部
６６・・・相互認証部
６７・・・データ読み書き部
６８・・・画像表示部傾斜確認部
６９・・・スイッチ
７０・・・７５Ωドライバ
７１・・・ＶＤＰ
７・・・音声出力部
８・・・磁気ディスク
９・・・スピーカ
１１・・・スライド部
１２・・・補助スライド部
１３・・・ローラー
１４・・・映像・音楽ソース
【図１】
2010148041.tif 000003
【図２】
2010148041.tif 000004
【図３】
2010148041.tif 000005
【図４】
2010148041.tif 000006
【図５】
2010148041.tif 000007
【図６】
2010148041.tif 000008
【図７】
2010148041.tif 000009
【図８】
2010148041.tif 000010
【図９】
2010148041.tif 000011